(57)【要約】【課題】ゲートキーパ装置に予め加入者登録した移動端末をＨ．３２３エンドポイント装置として扱い、この移動端末が他のゲートキーパ装置管理下のゲートウェイ装置に接続された無線基地局に移動した際に、Ｈ．３２３プロトコルを用いて移動管理を可能とすること。【解決手段】移動端末（ＰＳ）４１がゾーン１からゾーン２に移動した場合に、移動端末（ＰＳ）４１からの位置登録要求に応じて、ＰＨＳ−ＧＷ装置２３が登録要求（ＲＲＱ）をビジタゲートキーパ装置１２に送信し、ビジタゲートキーパ装置１２がローミングを示す情報を設定した位置解決要求（ＬＲＱ）をホームゲートキーパ装置１１に送信することにより、その応答としてホームゲートキーパ装置１１における移動端末（ＰＳ）４１のＲＡＳ登録削除と、位置解決応答（ＬＣＦ）の返信が行われて、最終的にビジタゲートキーパ装置１２において移動端末（ＰＳ）４１のＲＡＳ登録が終了する。【選択図】      図６
2005020610.tif 000002
【特許請求の範囲】
【請求項１】
移動端末と、該移動端末を管理する無線基地局と、該無線基地局を収容するゲートウェイ装置と、該ゲートウェイ装置を管理する複数のゲートキーパ装置とから構成される通信システムにおいて、
前記移動端末は、他のゲートキーパ装置の管理領域に移動した場合、該移動先の前記無線基地局を介して該他のゲートキーパ装置に自機の登録要求を送信し、
前記移動端末から登録要求を受信した前記他のゲートキーパ装置は、複数の他のゲートキーパ装置に対して前記移動端末の位置解決要求を送信し、前記位置解決要求を受信した前記移動端末が移動前のゲートキーパ装置は、前記移動端末の登録情報を削除して位置解決棄却を前記移動先のゲートキーパ装置に返信し、前記位置解決要求を受信した前記移動端末の加入者設定情報を有するゲートキーパ装置は、自装置の識別情報を設定した位置解決応答を前記移動先のゲートキーパ装置に返信し、前記識別情報を受信した移動先のゲートキーパ装置は、受信した識別情報と対応付けて前記移動端末の登録を行い、該移動端末の登録行ったことを前記無線基地局を介して前記移動端末に通知することを特徴とする通信システム。
【請求項２】
移動端末と、該移動端末を管理する無線基地局と、該無線基地局を収容するゲートウェイ装置と、該ゲートウェイ装置を管理する複数のゲートキーパ装置とから構成される通信システムにおいて、
前記移動端末は、他のゲートキーパ装置の管理領域に移動した場合、該移動先の前記無線基地局を介して該他のゲートキーパ装置に自機の登録要求を送信し、前記移動端末から登録要求を受信した前記他のゲートキーパ装置は、複数の他のゲートキーパ装置に対して前記移動端末の位置解決要求を送信し、前記位置解決要求を受信した前記移動端末が移動前のゲートキーパ装置は、前記移動端末の登録情報を削除して位置解決棄却を前記移動先のゲートキーパ装置に返信し、前記移動先のゲートキーパ装置が、前記移動端末の加入者設定情報を有するゲートキーパ装置であった場合、該ゲートキーパ装置は、前記移動端末の登録を行い、該移動端末の登録行ったことを前記無線基地局を介して前記移動端末に通知することを特徴とする通信システム。
【請求項３】
前記位置解決要求を受信した前記移動端末の加入者設定情報を有するゲートキーパ装置は、自装置の識別情報に加えて、前記移動端末に特定機能を提供するための設定情報を設定した位置解決応答を前記移動先のゲートキーパ装置に送信し、前記識別情報及び前記設定情報を受信した前記移動先のゲートキーパ装置は、その受信した識別情報及び設定情報と対応付けて前記移動端末の登録を行うことを特徴とする請求項１記載の通信システム。
【請求項４】
前記設定情報は、前記移動端末に呼制御サービスを提供するための情報であることを特徴とする請求項３記載の通信システム。
【請求項５】
前記移動端末と前記ゲートキーパ装置との間の通信は、Ｈ．３２３プロトコルを用いて行うことを特徴とする請求項１から請求項４のいずれかに記載の通信システム。
【請求項６】
移動端末を管理する無線基地局を収容するゲートウェイ装置を管理するゲートキーパ装置であって、
自装置の管理領域内に存在する移動端末を登録する登録手段と、前記移動端末が自装置の管理領域外に移動した場合に、他のゲートキーパ装置から位置解決要求を受信する受信手段と、前記受信された位置解決要求に応じて、前記登録手段の前記移動端末の登録を削除する登録削除手段と、自装置が前記移動端末の加入者設定情報を有する場合は、自装置の識別情報を設定した位置解決応答を前記移動先のゲートキーパ装置に返信し、自装置が前記移動端末の加入者設定情報を有しない場合は、位置解決棄却を前記移動先のゲートキーパ装置に返信する返信手段とを具備することを特徴とするゲートキーパ装置。
【請求項７】
移動端末を管理する無線基地局を収容するゲートウェイ装置を管理するゲートキーパ装置であって、
自装置の管理領域内に存在する移動端末を登録する登録手段と、前記移動端末が自装置の管理領域内に移動してきた場合に、該移動端末から登録要求を受信する受信手段と、前記受信された登録要求に応じて、他の複数のゲートウェイ装置に前記移動端末の位置解決要求を送信する送信手段と、前記位置解決要求を受信した前記移動端末の加入者設定情報を有するゲートキーパ装置から該ゲートキーパ装置の識別情報が設定された位置解決要求を前記受信手段により受信した場合は、前記識別情報と対応付けて前記移動端末を登録する登録手段と、前記移動端末の登録を行ったことを移動先の無線基地局を介して前記移動端末に通知する通知手段とを具備することを特徴とするゲートキーパ装置。
【請求項８】
移動端末を管理する無線基地局を収容するゲートウェイ装置を管理するゲートキーパ装置であって、
前記移動端末が自装置の管理領域内に移動してきた場合に、該移動端末から登録要求を受信する受信手段と、前記受信された登録要求に応じて、他の複数のゲートウェイ装置に前記移動端末の位置解決要求を送信する送信手段と、自装置が前記移動端末の加入者設定情報を有する場合は、前記移動端末の登録を行う登録手段と、前記移動端末の登録を行ったことを移動先の無線基地局を介して前記移動端末に通知する通知手段とを具備することを特徴とするゲートキーパ装置。
【請求項９】
前記他のゲートキーパ装置から位置解決要求を受信し、自装置が前記移動端末の加入者設定情報を有するゲートキーパ装置の場合、前記返信手段は、自装置の識別情報に加えて、前記移動端末に特定機能を提供するための設定情報を設定した位置解決応答を前記移動先のゲートキーパ装置に返信することを特徴とする請求項６記載のゲートキーパ装置。
【請求項１０】
前記位置解決要求を受信した前記移動端末の加入者設定情報を有するゲートキーパ装置から該ゲートキーパ装置の識別情報及び前記移動端末に特定機能を提供するための設定情報が設定された位置解決要求を前記受信手段により受信した場合、前記登録手段は、前記識別情報及び前記設定情報と対応付けて前記移動端末を登録することを特徴とする請求項７記載のゲートキーパ装置。
【請求項１１】
前記設定情報は、前記移動端末に呼制御サービスを提供するための情報であることを特徴とする請求項９又は請求項１０記載のゲートキーパ装置。
【請求項１２】
前記移動端末との間の通信は、Ｈ．３２３プロトコルを用いて行うことを特徴とする請求項６から請求項１１のいずれかに記載のゲートキーパ装置。
【請求項１３】
移動端末と、該移動端末を管理する無線基地局と、該無線基地局を収容するゲートウェイ装置と、該ゲートウェイ装置を管理する複数のゲートキーパ装置とから構成される通信システムを制御する通信制御方法において、
前記移動端末は、他のゲートキーパ装置の管理領域に移動した場合、該移動先の前記無線基地局を介して該他のゲートキーパ装置に自機の登録要求を送信するステップと、前記移動端末から登録要求を受信した前記他のゲートキーパ装置は、複数の他のゲートキーパ装置に対して前記移動端末の位置解決要求を送信するステップと、前記位置解決要求を受信した前記移動端末が移動前のゲートキーパ装置は、前記移動端末の登録情報を削除して位置解決棄却を前記移動先のゲートキーパ装置に返信するステップと、前記位置解決要求を受信した前記移動端末の加入者設定情報を有するゲートキーパ装置は、自装置の識別情報を設定した位置解決応答を前記移動先のゲートキーパ装置に返信するステップと、前記識別情報を受信した移動先のゲートキーパ装置は、受信した識別情報と対応付けて前記移動端末の登録を行い、該移動端末の登録行ったことを前記無線基地局を介して前記移動端末に通知するステップとを具備することを特徴とする通信システムの通信制御方法。
【請求項１４】
移動端末と、該移動端末を管理する無線基地局と、該無線基地局を収容するゲートウェイ装置と、該ゲートウェイ装置を管理する複数のゲートキーパ装置とから構成される通信システムを制御する通信制御方法において、
前記移動端末は、他のゲートキーパ装置の管理領域に移動した場合、該移動先の前記無線基地局を介して該他のゲートキーパ装置に自機の登録要求を送信するステップと、前記移動端末から登録要求を受信した前記他のゲートキーパ装置は、複数の他のゲートキーパ装置に対して前記移動端末の位置解決要求を送信するステップと、前記位置解決要求を受信した前記移動端末が移動前のゲートキーパ装置は、前記移動端末の登録情報を削除して位置解決棄却を前記移動先のゲートキーパ装置に返信するステップと、前記移動先のゲートキーパ装置が、前記移動端末の加入者設定情報を有するゲートキーパ装置であった場合、該ゲートキーパ装置は、前記移動端末の登録を行い、該移動端末の登録行ったことを前記無線基地局を介して前記移動端末に通知するステップとを具備することを特徴とする通信システムの通信制御方法。
【請求項１５】
前記位置解決要求を受信した前記移動端末の加入者設定情報を有するゲートキーパ装置は、自装置の識別情報に加えて、前記移動端末に特定機能を提供するための設定情報を設定した位置解決応答を前記移動先のゲートキーパ装置に送信するステップと、前記識別情報及び前記設定情報を受信した前記移動先のゲートキーパ装置は、その受信した識別情報及び設定情報と対応付けて前記移動端末の登録を行うステップと、を具備することを特徴とする請求項１３記載の通信システムの通信制御方法。
【請求項１６】
前記設定情報は、前記移動端末に呼制御サービスを提供するための情報であることを特徴とする請求項１５記載の通信システムの通信制御方法。
【請求項１７】
前記移動端末と前記ゲートキーパ装置との間の通信は、Ｈ．３２３プロトコルを用いて行うことを特徴とする請求項１３から請求項１６のいずれかに記載の通信システムの通信制御方法。
【発明の詳細な説明】
【０００１】
【発明の属する技術分野】
本発明は、ＴＴＣ標準ＪＴ−Ｈ３２３又はＩＴＵ−Ｔ勧告Ｈ．３２３を用いたマルチメディア通信システムにおいて、移動端末のローミングサービスを提供する通信システム、ゲートキーパ装置及び通信制御方法に関する。
【０００２】
【従来の技術】
従来、特許文献１のインターネット電話システムによれば、ＶｏＩＰ技術標準のＩＴＵ−Ｔ勧告Ｈ．３２３を用いないことを前提として、独自のインターネットプロトコルを用いて、ゾーン間を移動する移動端末の位置登録管理（自局及び他局端末用登録テーブルによる位置登録管理）を行う接続制御装置と、相手端末のゾーン番号（相手端末番号に含まれる（ゾーン番号＋内線番号））を管理し、それを検索キーにして自局又は他局位置登録テーブルを検索して相手端末のアドレスを求めるようにして、アドレス変換や接続申請処理を集中制御する場合の負荷を軽減するようにしている。
【０００３】
【特許文献１】
特開２００２−２４７６３４号公報
【０００４】
【発明が解決しようとする課題】
しかしながら、特許文献１のインターネット電話システムにおいては、以下のような問題がある。
【０００５】
（１）独自プロトコルを用いるため、同一システム内に接続されるＨ．３２３端末との相互接続性が悪い
（２）ゾーン番号を意識した番号計画（ゾーン番号＋内線番号）が必要であり、システム保守者の負担が大きい
（３）自局または他局登録テーブルを同一接続制御装置内に備える必要があり、移動端末が移動する他局の接続制御装置を増やすためには、移動端末を管理する他局端末用登録テーブルを保持するメモリ等の記憶手段が多く必要になり、システムコストが高くなる。
【０００６】
本発明は、この問題点を解決したものであって、ゲートキーパ装置に予め加入者登録した移動端末をＨ．３２３エンドポイント装置として扱い、この移動端末が他のゲートキーパ装置管理下のゲートウェイ装置に接続された無線基地局に移動した際に、Ｈ．３２３プロトコルを用いて移動管理を可能とする通信システム、ゲートキーパ装置及び通信制御方法を提供することを目的としたものである。
【０００７】
【課題を解決するための手段】
本発明は、移動端末と、該移動端末を管理する無線基地局と、該無線基地局を収容するゲートウェイ装置と、該ゲートウェイ装置を管理する複数のゲートキーパ装置とから構成される通信システムにおいて、前記移動端末は、他のゲートキーパ装置の管理領域に移動した場合、該移動先の前記無線基地局を介して該他のゲートキーパ装置に自機の登録要求を送信し、前記移動端末から登録要求を受信した前記他のゲートキーパ装置は、複数の他のゲートキーパ装置に対して前記移動端末の位置解決要求を送信し、前記位置解決要求を受信した前記移動端末が移動前のゲートキーパ装置は、前記移動端末の登録情報を削除して位置解決棄却を前記移動先のゲートキーパ装置に返信し、前記位置解決要求を受信した前記移動端末の加入者設定情報を有するゲートキーパ装置は、自装置の識別情報を設定した位置解決応答を前記移動先のゲートキーパ装置に返信し、前記識別情報を受信した移動先のゲートキーパ装置は、受信した識別情報と対応付けて前記移動端末の登録を行い、該移動端末の登録行ったことを前記無線基地局を介して前記移動端末に通知する通信システムである。
【０００８】
【発明の実施の形態】
本発明の第１の態様は、移動端末と、該移動端末を管理する無線基地局と、該無線基地局を収容するゲートウェイ装置と、該ゲートウェイ装置を管理する複数のゲートキーパ装置とから構成される通信システムにおいて、前記移動端末は、他のゲートキーパ装置の管理領域に移動した場合、該移動先の前記無線基地局を介して該他のゲートキーパ装置に自機の登録要求を送信し、前記移動端末から登録要求を受信した前記他のゲートキーパ装置は、複数の他のゲートキーパ装置に対して前記移動端末の位置解決要求を送信し、前記位置解決要求を受信した前記移動端末が移動前のゲートキーパ装置は、前記移動端末の登録情報を削除して位置解決棄却を前記移動先のゲートキーパ装置に返信し、前記位置解決要求を受信した前記移動端末の加入者設定情報を有するゲートキーパ装置は、自装置の識別情報を設定した位置解決応答を前記移動先のゲートキーパ装置に返信し、前記識別情報を受信した移動先のゲートキーパ装置は、受信した識別情報と対応付けて前記移動端末の登録を行い、該移動端末の登録行ったことを前記無線基地局を介して前記移動端末に通知する通信システムである。
【０００９】
本発明によれば、ゲートキーパ装置に予め加入者登録した移動端末をＨ．３２３エンドポイント装置として扱うことができ、この移動端末が他のゲートキーパ装置管理下のゲートウェイ装置に接続された無線基地局に移動した際に、呼制御メッセージを用いて移動管理することができる。
【００１０】
本発明の第２の態様は、移動端末と、該移動端末を管理する無線基地局と、該無線基地局を収容するゲートウェイ装置と、該ゲートウェイ装置を管理する複数のゲートキーパ装置とから構成される通信システムにおいて、前記移動端末は、他のゲートキーパ装置の管理領域に移動した場合、該移動先の前記無線基地局を介して該他のゲートキーパ装置に自機の登録要求を送信し、前記移動端末から登録要求を受信した前記他のゲートキーパ装置は、複数の他のゲートキーパ装置に対して前記移動端末の位置解決要求を送信し、前記位置解決要求を受信した前記移動端末が移動前のゲートキーパ装置は、前記移動端末の登録情報を削除して位置解決棄却を前記移動先のゲートキーパ装置に返信し、前記移動先のゲートキーパ装置が、前記移動端末の加入者設定情報を有するゲートキーパ装置であった場合、該ゲートキーパ装置は、前記移動端末の登録を行い、該移動端末の登録行ったことを前記無線基地局を介して前記移動端末に通知する通信システムである。
【００１１】
本発明によれば、ゲートキーパ装置に予め加入者登録した移動端末をＨ．３２３エンドポイント装置として扱うことができ、この移動端末が他のゲートキーパ装置管理下のゲートウェイ装置に接続された無線基地局から加入者登録されたゲートキーパ装置管理下のゲートウェイ装置に接続された無線基地局に移動した際に、呼制御メッセージを用いて移動管理することができる。
【００１２】
本発明の第３の態様は、第１の態様の通信システムにおいて、前記位置解決要求を受信した前記移動端末の加入者設定情報を有するゲートキーパ装置は、自装置の識別情報に加えて、前記移動端末に特定機能を提供するための設定情報を設定した位置解決応答を前記移動先のゲートキーパ装置に送信し、前記識別情報及び前記設定情報を受信した前記移動先のゲートキーパ装置は、その受信した識別情報及び設定情報と対応付けて前記移動端末の登録を行うようにした。
【００１３】
本発明によれば、移動端末が他のゲートキーパ装置管理下のゲートウェイ装置に接続された無線基地局に移動した際に、移動前に設定されていた特定機能を利用することができる。
【００１４】
本発明の第４の態様は、第３の態様の通信システムにおいて、前記設定情報は、前記移動端末に呼制御サービスを提供するための情報であるようにした。
【００１５】
本発明によれば、移動端末が他のゲートキーパ装置管理下のゲートウェイ装置に接続された無線基地局に移動した際に、移動前に設定されていた呼制御サービス機能を利用することができる。
【００１６】
本発明の第５の態様は、第１の態様から第４の態様のいずれかの通信システムにおいて、前記移動端末と前記ゲートキーパ装置との間の通信は、Ｈ．３２３プロトコルを用いて行うようにした。
【００１７】
本発明によれば、複数のゲートキーパ装置管理下の無線基地局を移動する移動端末を、Ｈ．３２３プロトコルを用いて移動管理することができる。
【００１８】
本発明の第６の態様は、移動端末を管理する無線基地局を収容するゲートウェイ装置を管理するゲートキーパ装置であって、自装置の管理領域内に存在する移動端末を登録する登録手段と、前記移動端末が自装置の管理領域外に移動した場合に、他のゲートキーパ装置から位置解決要求を受信する受信手段と、前記受信された位置解決要求に応じて、前記登録手段の前記移動端末の登録を削除する登録削除手段と、自装置が前記移動端末の加入者設定情報を有する場合は、自装置の識別情報を設定した位置解決応答を前記移動先のゲートキーパ装置に返信し、自装置が前記移動端末の加入者設定情報を有しない場合は、位置解決棄却を前記移動先のゲートキーパ装置に返信する返信手段とを具備するゲートキーパ装置である。
【００１９】
本発明によれば、移動端末が自装置の管理領域から他のゲートキーパ装置管理下のゲートウェイ装置に接続された無線基地局に移動した際に、呼制御メッセージを用いて移動管理するゲートキーパ装置を提供することができる。
【００２０】
本発明の第７の態様は、移動端末を管理する無線基地局を収容するゲートウェイ装置を管理するゲートキーパ装置であって、自装置の管理領域内に存在する移動端末を登録する登録手段と、前記移動端末が自装置の管理領域内に移動してきた場合に、該移動端末から登録要求を受信する受信手段と、前記受信された登録要求に応じて、他の複数のゲートウェイ装置に前記移動端末の位置解決要求を送信する送信手段と、前記位置解決要求を受信した前記移動端末の加入者設定情報を有するゲートキーパ装置から該ゲートキーパ装置の識別情報が設定された位置解決要求を前記受信手段により受信した場合は、前記識別情報と対応付けて前記移動端末を登録する登録手段と、前記移動端末の登録を行ったことを移動先の無線基地局を介して前記移動端末に通知する通知手段とを具備するゲートキーパ装置である。
【００２１】
本発明によれば、移動端末が他のゲートキーパ装置の管理領域から自装置管理下のゲートウェイ装置に接続された無線基地局に移動した際に、呼制御メッセージを用いて移動管理するゲートキーパ装置を提供することができる。
【００２２】
本発明の第８の態様は、移動端末を管理する無線基地局を収容するゲートウェイ装置を管理するゲートキーパ装置であって、前記移動端末が自装置の管理領域内に移動してきた場合に、該移動端末から登録要求を受信する受信手段と、前記受信された登録要求に応じて、他の複数のゲートウェイ装置に前記移動端末の位置解決要求を送信する送信手段と、自装置が前記移動端末の加入者設定情報を有する場合は、前記移動端末の登録を行う登録手段と、前記移動端末の登録を行ったことを移動先の無線基地局を介して前記移動端末に通知する通知手段とを具備するゲートキーパ装置である。
【００２３】
本発明によれば、移動端末が他のゲートキーパ装置の管理領域から自装置管理下のゲートウェイ装置に接続された無線基地局に移動した際に、呼制御メッセージを用いて移動管理するゲートキーパ装置を提供することができる。
【００２４】
本発明の第９の態様は、第６の態様のゲートキーパ装置において、前記他のゲートキーパ装置から位置解決要求を受信し、自装置が前記移動端末の加入者設定情報を有するゲートキーパ装置の場合、前記返信手段は、自装置の識別情報に加えて、前記移動端末に特定機能を提供するための設定情報を設定した位置解決応答を前記移動先のゲートキーパ装置に返信するようにした。
【００２５】
本発明によれば、移動端末が他のゲートキーパ装置管理下のゲートウェイ装置に接続された無線基地局に移動した際に、移動前に設定されていた特定機能を移動先のゲートキーパ装置に設定可能とするゲートキーパ装置を提供することができる。
【００２６】
本発明の第１０の態様は、第７の態様のゲートキーパ装置において、前記位置解決要求を受信した前記移動端末の加入者設定情報を有するゲートキーパ装置から該ゲートキーパ装置の識別情報及び前記移動端末に特定機能を提供するための設定情報が設定された位置解決要求を前記受信手段により受信した場合、前記登録手段は、前記識別情報及び前記設定情報と対応付けて前記移動端末を登録するようにした。
【００２７】
本発明によれば、移動端末が他のゲートキーパ装置管理下のゲートウェイ装置に接続された無線基地局に移動した際に、移動前に移動端末の加入者設定情報を有するゲートキーパ装置に設定されていた特定機能を移動先で登録可能とするゲートキーパ装置を提供することができる。
【００２８】
本発明の第１１の態様は、第９の態様又は第１０の態様のゲートキーパ装置において、前記設定情報は、前記移動端末に呼制御サービスを提供するための情報であるようにした。
【００２９】
本発明によれば、移動端末が他のゲートキーパ装置管理下のゲートウェイ装置に接続された無線基地局に移動した際に、移動前に設定されていた呼制御サービス機能を利用可能にするゲートキーパ装置を提供することができる。
【００３０】
本発明の第１２の態様は、第６の態様から第１１の態様のいずれかのゲートキーパ装置において、前記移動端末との間の通信は、Ｈ．３２３プロトコルを用いて行うようにした。
【００３１】
本発明によれば、複数のゲートキーパ装置管理下の無線基地局を移動する移動端末を、Ｈ．３２３プロトコルを用いて移動管理するゲートキーパ装置を提供することができる。
【００３２】
本発明の第１３の態様は、移動端末と、該移動端末を管理する無線基地局と、該無線基地局を収容するゲートウェイ装置と、該ゲートウェイ装置を管理する複数のゲートキーパ装置とから構成される通信システムを制御する通信制御方法において、前記移動端末は、他のゲートキーパ装置の管理領域に移動した場合、該移動先の前記無線基地局を介して該他のゲートキーパ装置に自機の登録要求を送信するステップと、前記移動端末から登録要求を受信した前記他のゲートキーパ装置は、複数の他のゲートキーパ装置に対して前記移動端末の位置解決要求を送信するステップと、前記位置解決要求を受信した前記移動端末が移動前のゲートキーパ装置は、前記移動端末の登録情報を削除して位置解決棄却を前記移動先のゲートキーパ装置に返信するステップと、前記位置解決要求を受信した前記移動端末の加入者設定情報を有するゲートキーパ装置は、自装置の識別情報を設定した位置解決応答を前記移動先のゲートキーパ装置に返信するステップと、前記識別情報を受信した移動先のゲートキーパ装置は、受信した識別情報と対応付けて前記移動端末の登録を行い、該移動端末の登録行ったことを前記無線基地局を介して前記移動端末に通知するステップとを具備する通信システムの通信制御方法である。
【００３３】
本発明によれば、ゲートキーパ装置に予め加入者登録した移動端末をＨ．３２３エンドポイント装置として扱うことができ、この移動端末が他のゲートキーパ装置管理下のゲートウェイ装置に接続された無線基地局に移動した際に、呼制御メッセージを用いて移動管理することができる。
【００３４】
本発明の第１４の態様は、移動端末と、該移動端末を管理する無線基地局と、該無線基地局を収容するゲートウェイ装置と、該ゲートウェイ装置を管理する複数のゲートキーパ装置とから構成される通信システムを制御する通信制御方法において、前記移動端末は、他のゲートキーパ装置の管理領域に移動した場合、該移動先の前記無線基地局を介して該他のゲートキーパ装置に自機の登録要求を送信するステップと、前記移動端末から登録要求を受信した前記他のゲートキーパ装置は、複数の他のゲートキーパ装置に対して前記移動端末の位置解決要求を送信するステップと、前記位置解決要求を受信した前記移動端末が移動前のゲートキーパ装置は、前記移動端末の登録情報を削除して位置解決棄却を前記移動先のゲートキーパ装置に返信するステップと、前記移動先のゲートキーパ装置が、前記移動端末の加入者設定情報を有するゲートキーパ装置であった場合、該ゲートキーパ装置は、前記移動端末の登録を行い、該移動端末の登録行ったことを前記無線基地局を介して前記移動端末に通知するステップとを具備する通信システムの通信制御方法である。
【００３５】
本発明によれば、ゲートキーパ装置に予め加入者登録した移動端末をＨ．３２３エンドポイント装置として扱うことができ、この移動端末が他のゲートキーパ装置管理下のゲートウェイ装置に接続された無線基地局から加入者登録されたゲートキーパ装置管理下のゲートウェイ装置に接続された無線基地局に移動した際に、呼制御メッセージを用いて移動管理することができる。
【００３６】
本発明の第１５の態様は、第１３の態様の通信システムの通信制御方法において、前記位置解決要求を受信した前記移動端末の加入者設定情報を有するゲートキーパ装置は、自装置の識別情報に加えて、前記移動端末に特定機能を提供するための設定情報を設定した位置解決応答を前記移動先のゲートキーパ装置に送信するステップと、前記識別情報及び前記設定情報を受信した前記移動先のゲートキーパ装置は、その受信した識別情報及び設定情報と対応付けて前記移動端末の登録を行うステップとを具備するようにした。
【００３７】
本発明によれば、移動端末が他のゲートキーパ装置管理下のゲートウェイ装置に接続された無線基地局に移動した際に、移動前に設定されていた特定機能を利用することができる。
【００３８】
本発明の第１６の態様は、第１５の態様の通信システムの通信制御方法において、前記設定情報は、前記移動端末に呼制御サービスを提供するための情報であるようにした。
【００３９】
本発明によれば、移動端末が他のゲートキーパ装置管理下のゲートウェイ装置に接続された無線基地局に移動した際に、移動前に設定されていた呼制御サービス機能を利用することができる。
【００４０】
本発明の第１７の態様は、第１３の態様から第１６の態様のいずれかの通信システムの通信制御方法において、前記移動端末と前記ゲートキーパ装置との間の通信は、Ｈ．３２３プロトコルを用いて行うようにした。
【００４１】
本発明によれば、複数のゲートキーパ装置管理下の無線基地局を移動する移動端末を、Ｈ．３２３プロトコルを用いて移動管理することができる。
【００４２】
以下、本発明の通信システム、ゲートキーパ装置及び通信制御方法が適用された通信システムの実施の形態について図面を参照して具体的に説明する。
【００４３】
図１は、本発明の一実施の形態に係る通信システムの全体構成を示す図である。同図に示す通信システム１００は、ホームゲートキーパ装置１１が管理する管理領域を示すゾーン１と、ビジタゲートキーパ装置１２が管理する管理領域を示すゾーン２と、ビジタゲートキーパ装置１３が管理する管理領域を示すゾーン３と、から構成される。ゾーン間は、ＩＰネットワークＮにより接続されている。
【００４４】
ホームゲートキーパ装置１１は、システムの保守者が自局として扱うゲートキーパ装置であり、移動端末（ＰＳ）４１の加入者情報が予め登録されており、ゾーン１内に移動端末（ＰＳ）４１が存在する場合に、Ｈ．３２３エンドポイント装置として呼制御を行う。
【００４５】
ビジタゲートキーパ装置１２、１３は、システムの保守者が他局として扱うゲートキーパ装置であり、移動端末（ＰＳ）４１がゾーン１からゾーン２又はゾーン３に移動した場合に、その移動管理をＨ．３２３プロトコルを用いて行う。
【００４６】
ホームゲートキーパ装置１１は、ＩＰネットワークＮを介して無線基地局ゲートウェイ装置（以下、ＰＨＳ−ＧＷ装置という）２１、２２と接続し、これらＰＨＳ−ＧＷ装置２１、２２をエンドポイント装置として管理するとともに、各ＰＨＳ−ＧＷ装置２１、２２が収容する無線基地局３１〜３４の通信エリア内に存在する移動端末（ＰＳ）４１もエンドポイント装置として管理する。
【００４７】
ビジタゲートキーパ装置１２は、ＩＰネットワークＮを介してＰＨＳ−ＧＷ装置２３と接続し、ＰＨＳ−ＧＷ装置２３をエンドポイント装置として管理するとともに、ＰＨＳ−ＧＷ装置２３が収容する無線基地局３５、３６の通信エリア内にゾーン１から移動してきた移動端末（ＰＳ）４１もエンドポイント装置として管理する。
【００４８】
ビジタゲートキーパ装置１３は、ＩＰネットワークＮを介してＰＨＳ−ＧＷ装置２４と接続し、ＰＨＳ−ＧＷ装置２４をエンドポイント装置として管理するとともに、ＰＨＳ−ＧＷ装置２４が収容する無線基地局３７、３８の通信エリア内にゾーン１又はゾーン２から移動してきた移動端末（ＰＳ）４１もエンドポイント装置として管理する。
【００４９】
ＰＨＳ−ＧＷ装置２１は、無線基地局３１、３２を収容し、ＰＨＳ−ＧＷ装置２２は、無線基地局３３、３４を収容し、ホームゲートキーパ装置１１との間で呼制御に係るＨ．３２３メッセージを交換し、無線基地局３１〜３４の各無線通信エリア内に存在する移動端末（ＰＳ）４１との間で無線通信メッセージを交換して、移動端末（ＰＳ）４１の発着信及び通話に係る通信制御を行う。
【００５０】
ＰＨＳ−ＧＷ装置２３は、無線基地局３５、３６を収容し、ビジタゲートキーパ装置１２との間で呼制御に係るＨ．３２３メッセージを交換し、無線基地局３５、３６の各無線通信エリア内に存在する移動端末（ＰＳ）４２との間で無線通信メッセージを交換して、移動端末（ＰＳ）４２の発着信及び通話に係る通信制御を行う。
【００５１】
ＰＨＳ−ＧＷ装置２４は、無線基地局３７、３８を収容し、ビジタゲートキーパ装置１３との間で呼制御に係るＨ．３２３メッセージを交換し、無線基地局３７、３８の各無線通信エリア内に存在する移動端末（ＰＳ）４３との間で無線通信メッセージを交換して、移動端末（ＰＳ）４３の発着信及び通話に係る通信制御を行う。
【００５２】
無線基地局３１〜３８は、移動端末（ＰＳ）４１〜４３との間で無線通信を確立して移動端末（ＰＳ）４１〜４３とＰＨＳ−ＧＷ装置２１〜２４との通信を可能とする。移動端末（ＰＳ）４１〜４３は、電話番号（Ｅ．１６４アドレス）を有する電話端末であり、無線基地局３１〜３８を介してＰＨＳ−ＧＷ装置２１〜２４と通信して、ＩＰネットワークＮを介して他の移動端末やＨ．３２３端末との通信を行う。
【００５３】
図２は、本発明の実施の形態に係るホームゲートキーパ装置１１及びビジタゲートキーパ装置１２、１３の構成を示すブロック図である。
【００５４】
ホームゲートキーパ装置１１及びビジタゲートキーパ装置１２、１３は、ネットワークインタフェース２０１と、ＣＰＵ２０２と、メモリ２０３と、データ管理部２０４と、呼処理部２０５と、Ｈ．３２３制御部２０６とを有している。
【００５５】
ネットワークインタフェース２０１は、ＩＰネットワークＮに接続するためのインタフェース機能を有する。ＣＰＵ（Ｃｅｎｔｒａｌ  Ｐｒｏｃｅｓｓｉｎｇ  Ｕｎｉｔ）２０２は、ゲートキーパ装置内全体の動作を制御する。メモリ２０３は、ＲＡＳ登録管理テーブルとエンドポイント管理テーブルを記憶する。
【００５６】
図３は、ホームゲートキーパ装置１１のメモリ２０３に記憶されるＲＡＳ登録管理テーブル５０の構成例を示す図である。このＲＡＳ登録管理テーブル５０では、システムの保守者がエンドポイント装置（ＰＨＳ−ＧＷ装置２１と移動端末（ＰＳ）４１）の加入者情報を登録する「加入者登録データベース」欄と、ゾーン内におけるエンドポイント装置のＲＡＳ登録状態を設定する「ＲＡＳ登録データベース」欄と、これら各データベース内の各データを参照する参照番号を設定するための「参照番号」欄とが設定されている。
【００５７】
図３において、波線で示す領域５１の「加入者登録データベース」欄は、システムの保守者によりコンソール等から予め登録され、波線で示す領域５２の「ＲＡＳ登録データベース」欄は、エンドポイント装置の登録要求に応じてゲートキーパ装置により自動的に登録／削除される。
【００５８】
図４は、ビジタゲートキーパ装置１２、１３のメモリ２０３に記憶されるＲＡＳ登録管理テーブル６０の構成例を示す図である。このＲＡＳ登録管理テーブル６０では、図３のＲＡＳ登録管理テーブル５０の同様のデータ記憶領域以外に、図中の波線で示す領域６１内の参照番号Ｎ−Ｍ＋１〜Ｎデータ記憶領域を、自領域内に移動してくるローミングＰＳ（以下、ローマＰＳと述べる）の受け入れ台数設定数ＭのＲＡＳ登録情報を管理するための領域として設定している。
【００５９】
ローマＰＳとは、例えば、図１で示すゾーン１からゾーン２又はゾーン３に移動してきた移動端末（ＰＳ）を表す。本実施の形態では、ローマＰＳに対する表現として、加入者登録されたゾーン内の移動端末（ＰＳ）をホームＰＳというものとする。
【００６０】
図５は、ホームゲートキーパ装置１１及びビジタゲートキーパ装置１２、１３のメモリ２０３に記憶されるエンドポイント管理テーブル７０の構成例を示す図である。このエンドポイント管理テーブル７０では、自装置のゾーン内でＲＡＳ登録されたエンドポイント装置（ＰＨＳ−ＧＷ装置又は移動端末（ＰＳ））のエイリアスアドレス（例えば、電話番号）を記憶するための「エイリアスアドレス」欄と、ゾーン内の移動端末（ＰＳ）がローマＰＳかホームＰＳかを記憶する「種別」欄と、ローマＰＳのホームゲートキーパ装置の番号を記憶する「ホームゲートキーパ番号」欄と、これら各項目内の各データを参照する参照番号を設定するための「参照番号」欄とが設定されている。
【００６１】
図２に戻り、データ管理部２０４は、データ管理プログラムを記憶し、このデータ管理プログラムに基づいてメモリ２０３内に記憶されたデータを管理するとともに、呼処理部２０５に対するデータの入出力を制御する。
【００６２】
呼処理部２０５は、呼処理プログラムを記憶し、この呼処理プログラムに基づいて、各種呼処理サービスをエンドポイント装置である移動端末（ＰＳ）に提供する。
【００６３】
Ｈ．３２３制御部２０６は、Ｈ．３２３制御プログラムを記憶し、このＨ．３２３制御プログラムに基づいて、ネットワークインタフェース２０１を介してＨ．３２３プロトコルに変換したメッセージをＰＨＳ−ＧＷ装置との間で送受信する。
【００６４】
次いで、上記構成を有する通信システム１００の動作について、図６に示すシーケンス図を用いて説明する。
【００６５】
図６は、移動端末（ＰＳ）４１がゾーン１からゾーン２に移動する場合の通信システム１００の動作を説明するためのシーケンス図である。
【００６６】
図６のステップＳ６０１において、ホームゲートキーパ装置１１がメモリ２０３に記憶するＲＡＳ登録管理テーブル５０には、ＰＨＳ−ＧＷ装置２１がＲＡＳ登録されており、移動端末（ＰＳ）４１はＰＨＳ−ＧＷ装置２１を介してＨ．３２３端末としてＲＡＳ登録されているものとする。
【００６７】
次いで、移動端末（ＰＳ）４１がゾーン１からゾーン２に移動すると、移動端末（ＰＳ）４１は、ステップＳ６０２において、自装置のエイリアスアドレスを設定した位置登録要求をＨ．３２３プロトコルによりＰＨＳ−ＧＷ装置２３に対して送信する。
【００６８】
次いで、ステップＳ６０３において、ＰＨＳ−ＧＷ装置２３は、移動端末（ＰＳ）４１から送信された位置登録要求を受信すると、その位置登録要求から移動端末（ＰＳ）４１のエイリアスアドレスを読み出し、そのエイリアスアドレスを設定したＨ．３２３プロトコルに基づく登録要求（ＲＲＱ）を生成して、ビジタゲートキーパ装置１２に送信する。
【００６９】
次いで、ステップＳ６０４において、ビジタゲートキーパ装置１２は、ＰＨＳ−ＧＷ装置２３から送信された登録要求（ＲＲＱ）から移動端末（ＰＳ）４１のエイリアスアドレスを読み出し、そのエイリアスアドレスがＲＡＳ登録管理テーブル６０のＲＡＳ登録データベースに登録されているか否かを判別する。
【００７０】
この場合、移動端末（ＰＳ）４１はローマＰＳであり、加入者登録およびＲＡＳ登録されていないため、ビジタゲートキーパ装置１２は、そのエイリアスアドレスと、移動端末（ＰＳ）４１が移動してきたことを示す「ローミング」フラグを位置解決要求（ＬＲＱ）のＮｏｎ  Ｓｔａｎｄａｒｄ  Ｄａｔａを使用して設定して、ホームゲートキーパ装置１１を含む他のゲートキーパ装置すべてに送信する。
【００７１】
次いで、ステップＳ６０５において、この位置解決要求（ＬＲＱ）を受信したホームゲートキーパ装置１１は、ビジタゲートキーパ装置１２から送信された位置解決要求（ＬＲＱ）から「ローミング」フラグとエイリアスアドレスを読み出し、移動端末（ＰＳ）４１がゾーン２に移動したことを認識して、ＲＡＳ登録管理テーブル５０のＲＡＳ登録データベース及びエンドポイント管理テーブル７０から移動端末（ＰＳ）４１のＲＡＳ登録を削除する。なお、ＲＡＳ登録が削除されても、ＲＡＳ登録管理テーブル５０の加入者登録データベースには移動端末（ＰＳ）４１の情報が残っている。
【００７２】
そして、ホームゲートキーパ装置１１は、移動端末（ＰＳ）４１のゾーン２への移動を示す情報をＮｏｎ  Ｓｔａｎｄａｒｄ  Ｍｅｓｓａｇｅに設定したＰＳ移動通知を生成して、Ｈ．３２３プロトコルによりＰＨＳ−ＧＷ装置２１に送信する。
【００７３】
次いで、ステップＳ６０６において、ＰＨＳ−ＧＷ装置２１は、ホームゲートキーパ装置１１から送信されたＰＳ移動通知により移動端末（ＰＳ）４１がゾーン２へ移動したことを認識し、その移動の応答を示す情報をＮｏｎ  Ｓｔａｎｄａｒｄ  Ｍｅｓｓａｇｅに設定したＰＳ移動応答をＨ．３２３プロトコルによりホームゲートキーパ装置１１に返信する。
【００７４】
次いで、ステップＳ６０７において、ホームゲートキーパ装置１１は、ＰＨＳ−ＧＷ装置２１から返信されたＰＳ移動応答に応じて、自装置のゲートキーパ番号である「１」と、「ローミング」フラグとを設定した位置解決応答（ＬＣＦ）を生成して、Ｈ．３２３プロトコルによりビジタゲートキーパ装置１２に送信する。なお、位置解決要求（ＬＲＱ）を受信したホームゲートキーパ装置１１以外のゲートキーパ装置は、自装置内の加入者設定情報に移動端末ＰＳ（４１）のエイリアスアドレスがないので位置解決棄却（ＬＲＪ）を送信することになる。
【００７５】
次いで、ステップＳ６０８において、ビジタゲートキーパ装置１２は、ホームゲートキーパ装置１１から送信された位置解決応答（ＬＣＦ）からゲートキーパ番号を読み出し、ＲＡＳ登録管理テーブル６０のＲＡＳ登録データベース及びエンドポイント管理テーブル７０に移動端末（ＰＳ）４１をＲＡＳ登録する。
【００７６】
この時、エンドポイント管理テーブル７０には、先に受信済みの移動端末（ＰＳ）４１のエイリアスアドレスと、種別を示すローマＰＳと、ゲートキーパ番号である「１」が登録される。そして、ビジタゲートキーパ装置１２は、登録確認（ＲＣＦ）をＨ．３２３プロトコルによりＰＨＳ−ＧＷ装置２３に送信する。
【００７７】
次いで、ステップＳ６０９において、ＰＨＳ−ＧＷ装置２３は、ビジタゲートキーパ装置１２から送信された登録確認（ＲＣＦ）に応じて、位置登録受付を無線通信プロトコルにより無線基地局３５又は３６を介して移動端末（ＰＳ）４１に送信する。
【００７８】
以上のように、移動端末（ＰＳ）４１がゾーン１からゾーン２に移動した場合に、移動端末（ＰＳ）４１からの位置登録要求に応じて、ＰＨＳ−ＧＷ装置２３が登録要求（ＲＲＱ）をビジタゲートキーパ装置１２に送信し、ビジタゲートキーパ装置１２がローミングを示す情報を設定した位置解決要求（ＬＲＱ）をホームゲートキーパ装置１１に送信することにより、その応答としてホームゲートキーパ装置１１における移動端末（ＰＳ）４１のＲＡＳ登録削除と、位置解決応答（ＬＣＦ）の返信が行われて、最終的にビジタゲートキーパ装置１２において移動端末（ＰＳ）４１のＲＡＳ登録が終了する。
【００７９】
したがって、本実施の形態の通信システム１００では、移動端末（ＰＳ）４１が登録されたゾーンから他のゲートキーパ装置が管理するゾーンに移動したとしても、Ｈ．３２３プロトコルに従って、移動前のＲＡＳ登録削除と移動先でのＲＡＳ登録が自動的に実行される。
【００８０】
次に、ゾーン２に移動した移動端末（ＰＳ）４１が、更にゾーン３に移動した場合の通信システム１００の動作について、図７に示すシーケンス図を用いて説明する。
【００８１】
図７において、移動端末（ＰＳ）４１がゾーン２からゾーン３に移動すると、移動端末（ＰＳ）４１は、ステップＳ７０１において、自装置のエイリアスアドレスを設定した位置登録要求を無線通信プロトコルによりＰＨＳ−ＧＷ装置２４に対して送信する。
【００８２】
次いで、ステップＳ７０２において、ＰＨＳ−ＧＷ装置２４は、移動端末（ＰＳ）４１から送信された位置登録要求を受信すると、その位置登録要求から移動端末（ＰＳ）４１のエイリアスアドレスを読み出し、そのエイリアスアドレスを設定したＨ．３２３プロトコルに基づく登録要求（ＲＲＱ）メッセージを生成してビジタゲートキーパ装置１３に送信する。
【００８３】
次いで、ステップＳ７０３において、ビジタゲートキーパ装置１３は、ＰＨＳ−ＧＷ装置２４から送信された登録要求（ＲＲＱ）メッセージから移動端末（ＰＳ）４１のエイリアスアドレスを読み出し、そのエイリアスアドレスがＲＡＳ登録管理テーブル６０のＲＡＳ登録データベースに登録されているか否かを判別する。
【００８４】
この場合、移動端末（ＰＳ）４１はローマＰＳであり、加入者登録およびＲＡＳ登録されていないため、ビジタゲートキーパ装置１３は、そのエイリアスアドレスと、移動端末（ＰＳ）４１が移動してきたことを示す「ローミング」フラグを位置解決要求（ＬＲＱ）のＮｏｎ  Ｓｔａｎｄａｒｄ  Ｄａｔａを使用して設定して、ビジタゲートキーパ装置１２とホームゲートキーパ装置１１を含む他のゲートキーパ装置すべてに送信する。
【００８５】
次いで、ステップＳ７０４において、ホームゲートキーパ装置１１は、ビジタゲートキーパ装置１３から送信された位置解決要求（ＬＲＱ）メッセージから「ローミング」フラグとエイリアスアドレスを読み出し、移動端末（ＰＳ）４１がゾーン３に移動したことを認識して、ＲＡＳ登録管理テーブル５０の加入者登録データベースから移動端末（ＰＳ）４１が加入者であることを認識する。
【００８６】
この場合、ホームゲートキーパ装置１１では、移動端末（ＰＳ）４１がゾーン２に移動した際に、そのＲＡＳ登録は既に削除されているため、ＲＡＳ登録の削除は行われない。
【００８７】
そして、ホームゲートキーパ装置１１は、自装置のゲートキーパ番号である「１」と、「ローミング」フラグとを設定したＨ．３２３の位置解決応答（ＬＣＦ）メッセージを生成してビジタゲートキーパ装置１３に送信する。
【００８８】
次いで、ステップＳ７０５において、ビジタゲートキーパ装置１２は、ビジタゲートキーパ装置１３から送信された位置解決要求（ＬＲＱ）メッセージから「ローミング」フラグとエイリアスアドレスを読み出し、移動端末（ＰＳ）４１がゾーン３に移動したことを認識して、ＲＡＳ登録管理テーブル６０のＲＡＳ登録データベース及びエンドポイント管理テーブル７０から移動端末（ＰＳ）４１のＲＡＳ登録を削除する。
【００８９】
そして、ビジタゲートキーパ装置１２は、移動端末（ＰＳ）４１がローマＰＳであるため、「ローミング」フラグを設定したＨ．３２３の位置解決棄却（ＬＲＪ）メッセージを生成してビジタゲートキーパ装置１３に送信する。
【００９０】
次いで、ステップＳ７０６において、ビジタゲートキーパ装置１３は、ホームゲートキーパ装置１１から送信された位置解決応答（ＬＣＦ）メッセージからゲートキーパ番号を読み出し、ＲＡＳ登録管理テーブル６０のＲＡＳ登録データベース及びエンドポイント管理テーブル７０に移動端末（ＰＳ）４１をＲＡＳ登録する。
【００９１】
この時、エンドポイント管理テーブル７０には、先に受信済みの移動端末（ＰＳ）４１のエイリアスアドレスと、種別を示すローマＰＳと、ゲートキーパ番号である「１」が登録される。そして、ビジタゲートキーパ装置１３は、Ｈ．３２３の登録確認（ＲＣＦ）メッセージをＰＨＳ−ＧＷ装置２４に送信する。
【００９２】
次いで、ステップＳ７０７において、ＰＨＳ−ＧＷ装置２４は、ビジタゲートキーパ装置１３から送信された登録確認（ＲＣＦ）メッセージに応じて、位置登録受付を無線通信プロトコルにより無線基地局３７又は３８を介して移動端末（ＰＳ）４１に送信する。
【００９３】
次いで、ステップＳ７０８において、ビジタゲートキーパ装置１２は、移動端末（ＰＳ）４１のゾーン３への移動を示す情報をＮｏｎ  Ｓｔａｎｄａｒｄ  Ｍｅｓｓａｇｅに設定したＰＳ移動通知を生成して、Ｈ．３２３プロトコルによりＰＨＳ−ＧＷ装置２３に送信する。
【００９４】
次いで、ステップＳ７０９において、ＰＨＳ−ＧＷ装置２３は、ビジタゲートキーパ装置１２から送信されたＰＳ移動通知により移動端末（ＰＳ）４１がゾーン３へ移動したことを認識し、その移動の応答を示す情報をＮｏｎ  Ｓｔａｎｄａｒｄ  Ｍｅｓｓａｇｅに設定したＰＳ移動応答をＨ．３２３プロトコルによりビジタゲートキーパ装置１２に返信する。
【００９５】
したがって、本実施の形態の通信システム１００では、移動端末（ＰＳ）４１が移動先の他のゾーンから更に他のゲートキーパ装置が管理するゾーンに移動したとしても、Ｈ．３２３プロトコルに従って移動前のＲＡＳ登録削除と移動先でのＲＡＳ登録が自動的に実行される。
【００９６】
次に、ゾーン２に移動した移動端末（ＰＳ）４１が、ゾーン１に戻った場合の通信システム１００の動作について、図８に示すシーケンス図を用いて説明する。
【００９７】
図８において、移動端末（ＰＳ）４１がゾーン２からゾーン１に移動すると、移動端末（ＰＳ）４１は、ステップＳ８０１において、自装置のエイリアスアドレスを設定した位置登録要求をＨ．３２３プロトコルによりＰＨＳ−ＧＷ装置２１に対して送信する。
【００９８】
次いで、ステップＳ８０２において、ＰＨＳ−ＧＷ装置２１は、移動端末（ＰＳ）４１から送信された位置登録要求を受信すると、その位置登録要求から移動端末（ＰＳ）４１のエイリアスアドレスを読み出し、そのエイリアスアドレスを設定したＨ．３２３の登録要求（ＲＲＱ）メッセージを生成して自ゲートウェイ装置を収容するゲートキーパ装置（この場合はホームゲートキーパ装置１１となる）に送信する。
【００９９】
次いで、ステップＳ８０３において、ホームゲートキーパ装置１１は、ＰＨＳ−ＧＷ装置２１から送信された登録要求（ＲＲＱ）メッセージから移動端末（ＰＳ）４１のエイリアスアドレスを読み出し、そのエイリアスアドレスがＲＡＳ登録管理テーブル５０の加入者登録データベースに登録されているか否かを判別する。
【０１００】
この場合、移動端末（ＰＳ）４１はホームＰＳであり、加入者情報が登録されているため、ホームゲートキーパ装置１１は、Ｈ．３２３の登録確認（ＲＣＦ）メッセージをＰＨＳ−ＧＷ装置２１に送信する。
【０１０１】
次いで、ステップＳ８０４において、ＰＨＳ−ＧＷ装置２１は、ホームゲートキーパ装置１１から送信された登録確認（ＲＣＦ）メッセージに応じて、位置登録受付を無線通信プロトコルにより無線基地局３１又は３２を介して移動端末（ＰＳ）４１に送信する。
【０１０２】
次いで、ステップＳ８０５において、ホームゲートキーパ装置１１は、ＰＨＳ−ＧＷ装置２１から送信された登録要求（ＲＲＱ）から移動端末（ＰＳ）４１のエイリアスアドレスを読み出し、そのエイリアスアドレスがＲＡＳ登録管理テーブル５０のＲＡＳ登録データベースに登録されているか否かを判別する。
【０１０３】
この場合、移動端末（ＰＳ）４１はＲＡＳ登録されていないため、ホームゲートキーパ装置１１は、そのエイリアスアドレスと、移動端末（ＰＳ）４１が移動してきたことを示す「ローミング」フラグを設定したＨ．３２３の位置解決要求（ＬＲＱ）メッセージを生成し、他のゲートキーパ装置であるビジタゲートキーパ装置１２に送信する。
【０１０４】
次いで、ステップＳ８０６において、ビジタゲートキーパ装置１２は、ホームゲートキーパ装置１１から送信された位置解決要求（ＬＲＱ）メッセージから「ローミング」フラグとエイリアスアドレスを読み出し、移動端末（ＰＳ）４１がゾーン１に移動したことを認識して、ＲＡＳ登録管理テーブル６０のＲＡＳ登録データベース及びエンドポイント管理テーブル７０から移動端末（ＰＳ）４１のＲＡＳ登録を削除する。
【０１０５】
そして、ビジタゲートキーパ装置１２は、移動端末（ＰＳ）４１のゾーン１への移動を示す情報をＮｏｎ  Ｓｔａｎｄａｒｄ  Ｍｅｓｓａｇｅに設定したＰＳ移動通知を生成して、Ｈ．３２３プロトコルによりＰＨＳ−ＧＷ装置２３に送信する。
【０１０６】
次いで、ステップＳ８０７において、ビジタゲートキーパ装置１２は、移動端末（ＰＳ）４１がローマＰＳであるため、「ローミング」フラグを設定したＨ．３２３の位置解決棄却（ＬＲＪ）メッセージを生成してホームゲートキーパ装置１１に送信する。
【０１０７】
次いで、ステップＳ８０８において、ＰＨＳ−ＧＷ装置２３は、ビジタゲートキーパ装置１２から送信されたＰＳ移動通知により移動端末（ＰＳ）４１がゾーン１へ移動しことを認識し、その移動の応答を示す情報をＮｏｎ  Ｓｔａｎｄａｒｄ  Ｍｅｓｓａｇｅに設定したＰＳ移動応答をＨ．３２３プロトコルによりビジタゲートキーパ装置１２に返信する。
【０１０８】
したがって、本実施の形態の通信システム１００では、移動端末（ＰＳ）４１が移動先の他のゾーンから登録元のゲートキーパ装置が管理するゾーンに復帰したとしても、Ｈ．３２３プロトコルに従って移動前のＲＡＳ登録削除と移動先でのＲＡＳ登録が自動的に実行される。
【０１０９】
次に、ホームゲートキーパ装置１１とビジタゲートキーパ装置１２間で「ローミング」フラグを交換する際の詳細な動作について図９に示すシーケンス図を用いて説明する。
【０１１０】
ステップＳ９０１において、ビジタゲートキーパ装置１２は、移動端末（ＰＳ）４１の位置登録要求を受信すると、移動端末（ＰＳ）４１のエイリアスアドレスと「ローミング」フラグを設定したＨ．３２３の位置解決要求（ＬＲＱ）メッセージを生成し、ステップＳ９０２において、ホームゲートキーパ装置１１に送信する。
【０１１１】
次いで、ステップＳ９０３において、ホームゲートキーパ装置１１は、ビジタゲートキーパ装置１２から送信された位置解決要求（ＬＲＱ）メッセージに設定されたエイリアスアドレスを読み出し、そのエイリアスアドレスがＲＡＳ登録管理テーブル５０の加入者登録データベースに登録されているか否かを判別する。
【０１１２】
この場合、移動端末（ＰＳ）４１はホームＰＳであり、加入者情報が登録されているため、ホームゲートキーパ装置１１は、位置解決応答（ＬＣＦ）メッセージ内のＮｏｎ  Ｓｔａｎｄａｒｄ  Ｄａｔａ  を使用して自装置のホームゲートキーパ番号を設定し、ステップＳ９０４において、ビジタゲートキーパ装置１２に送信する。
【０１１３】
次いで、ステップＳ９０５において、ビジタゲートキーパ装置１２は、ホームゲートキーパ装置１１から送信された位置解決応答（ＬＣＦ）メッセージ内のＮｏｎ  Ｓｔａｎｄａｒｄ  Ｄａｔａに設定されたホームゲートキーパ番号を読み出してエンドポイント管理テーブル７０に記憶する。
【０１１４】
このように、本実施の形態では、位置解決応答（ＬＣＦ）メッセージ内のＮｏｎ  Ｓｔａｎｄａｒｄ  Ｄａｔａ  を使用して自装置のホームゲートキーパ番号を設定しているため、移動端末（ＰＳ）４１のゾーン間の移動（ローミング）に係る情報をＨ．３２３プロトコルに従って送受信することができる。
【０１１５】
次に、ゾーン１内に存在するあるＨ．３２３端末からローマＰＳへの発呼要求を行った場合の通信システム１００の動作について、図１０に示すシーケンス図を用いて説明する。
【０１１６】
図１０のステップＳ１００１において、あるＨ．３２３端末は、自装置のエイリアスアドレスを設定したＨ．３２３の呼受付判断要求（ＡＲＱ）メッセージをホームゲートキーパ装置１１に送信する。
【０１１７】
次いで、ステップＳ１００２において、ホームゲートキーパ装置１１は、Ｈ．３２３端末から送信された呼受付判断要求（ＡＲＱ）メッセージからエイリアスアドレスを読み出し、そのエイリアスアドレスがＲＡＳ登録管理テーブル５０のＲＡＳ登録データベースにＲＡＳ登録されているか否かを判別する。
【０１１８】
この場合、移動端末（ＰＳ）４１はゾーン２に移動しているため、ホームゲートキーパ装置１１にはＲＡＳ登録されていない。このため、ホームゲートキーパ装置１１は、移動端末（ＰＳ）４１のエイリアスアドレスを設定したＨ．３２３の位置解決要求（ＬＲＱ）メッセージを生成してビジタゲートキーパ装置１２を含む他のゲートキーパ装置すべてに送信する。
【０１１９】
次いで、ステップＳ１００３において、ビジタゲートキーパ装置１２は、ホームゲートキーパ装置１１から送信された位置解決要求（ＬＲＱ）メッセージからエイリアスアドレスを読み出し、ＲＡＳ登録管理テーブル６０にＰＨＳ−ＧＷ装置２３のエイリアスアドレスがＲＡＳ登録されているため、そのＰＨＳ−ＧＷ装置２３のエイリアスアドレスを設定したＨ．３２３の位置応答解決要求（ＬＣＦ）メッセージをホームゲートキーパ装置１１に送信する。
【０１２０】
次いで、ステップＳ１００４において、ホームゲートキーパ装置１１は、ビジタゲートキーパ装置１２から送信された位置応答解決要求（ＬＣＦ）メッセージからＰＨＳ−ＧＷ装置２３のエイリアスアドレスを読み出し、そのエイリアスアドレスを設定したＨ．３２３の受付判断確認（ＡＣＦ）メッセージを生成してＨ．３２３端末に送信する。
【０１２１】
次いで、ステップＳ１００５において、Ｈ．３２３端末は、ホームゲートキーパ装置１１から送信された受付判断確認（ＡＣＦ）メッセージからＰＨＳ−ＧＷ装置２３のエイリアスアドレスを読み出し、そのエイリアスアドレスを用いてＰＨＳ−ＧＷ装置２３に移動端末（ＰＳ）４１のエイリアスアドレスを設定したＨ．３２３の呼設定（ＳＥＴＵＰ）メッセージを送信する。
【０１２２】
次いで、ステップＳ１００６において、ＰＨＳ−ＧＷ装置２３は、Ｈ．３２３端末から送信された呼設定（ＳＥＴＵＰ）メッセージから移動端末（ＰＳ）４１のエイリアスアドレスを読み出し、管理下の無線基地局３５又は３６により移動端末（ＰＳ）４１がゾーン２内に存在することを確認する。
【０１２３】
そして、ＰＨＳ−ＧＷ装置２３は、移動端末（ＰＳ）４１のエイリアスアドレスを設定したＨ．３２３の呼受付判断要求（ＡＲＱ）メッセージをビジタゲートキーパ装置１２に送信する。
【０１２４】
次いで、ステップＳ１００７において、ビジタゲートキーパ装置１２は、ＰＨＳ−ＧＷ装置２３から送信された呼受付判断要求（ＡＲＱ）メッセージから移動端末（ＰＳ）４１のエイリアスアドレスを読み出し、移動端末（ＰＳ）４１をＲＡＳ登録管理テーブル６０にＲＡＳ登録して、受付判断確認（ＡＣＦ）メッセージをＰＨＳ−ＧＷ装置２３に返信する。
【０１２５】
次いで、ステップＳ１００８において、ＰＨＳ−ＧＷ装置２３は、ビジタゲートキーパ装置１２から送信された受付判断確認（ＡＣＦ）メッセージに応じて、着呼要求を無線通信プロトコルにより無線基地局３５又は３６を介して移動端末（ＰＳ）４１に送信する。
【０１２６】
このように、本実施の形態では、Ｈ．３２３端末からローマＰＳへの発呼要求に対しても、Ｈ．３２３プロトコルに従って呼接続することが可能である。
【０１２７】
次に、ローマＰＳである移動端末（ＰＳ）４１からあるＨ．３２３端末に発呼要求を行った場合の通信システム１００の動作について、図１１に示すシーケンス図を用いて説明する。
【０１２８】
図１１のステップＳ１１０１において、ゾーン２内に存在するローマＰＳである移動端末（ＰＳ）４１は、自装置のエイリアスアドレスと発呼先のＨ．３２３端末のエイリアスアドレスとを設定した呼設定を無線通信プロトコルによりＰＨＳ−ＧＷ装置２３に送信する。
【０１２９】
次いで、ステップＳ１１０２において、ＰＨＳ−ＧＷ装置２３は、ローマＰＳから送信された呼設定から移動端末（ＰＳ）４１と発呼先のＨ．３２３端末の各エイリアスアドレスを読み出し、これらのエイリアスアドレスを設定したＨ．３２３の呼受付判断要求（ＡＲＱ）メッセージを生成してビジタゲートキーパ装置１２に送信する。
【０１３０】
次いで、ステップＳ１１０３において、ビジタゲートキーパ装置１２は、ＰＨＳ−ＧＷ装置２３から送信された呼受付判断要求（ＡＲＱ）メッセージから移動端末（ＰＳ）４１のエイリアスアドレスを読み出し、エンドポイント管理テーブル７０を参照して移動端末（ＰＳ）４１がローマＰＳであるか否かを判別する。そして、ビジタゲートキーパ装置１２は、移動端末（ＰＳ）４１がローマＰＳであることを判別した場合、エンドポイント管理テーブル７０の「ホームゲートキーパ番号」欄に設定されたホームゲートキーパ装置１１のホームゲートキーパ番号に従って、図中に示すような、ゲートキーパ番号に対応付けて各種サービス設定を記憶したサービス設定テーブルを参照し、各種呼制御サービスをローマＰＳに提供する。なお、各種サービス設定は図５のエンドポイント管理テーブル７０に記憶させるようにしてもよい。
【０１３１】
すなわち、ビジタゲートキーパ装置１２は、ローマＰＳがホームゲートキーパ装置１１から提供される各種呼制御サービスを、移動先のビジタゲートキーパ装置１２からも受けられるようにするための処理である。
【０１３２】
次いで、ステップＳ１１０４において、ビジタゲートキーパ装置１２は、上記サービス設定テーブルに設定された呼制御サービスに従って、ＲＡＳ登録管理テーブル６０にＲＡＳ登録されたＨ．３２３端末のＩＰアドレスを設定したＨ．３２３の受付判断確認（ＡＣＦ）メッセージを生成してＰＨＳ−ＧＷ装置２３に送信する。
【０１３３】
次いで、ステップＳ１１０５において、ＰＨＳ−ＧＷ装置２３は、ビジタゲートキーパ装置１２から送信された受付判断確認（ＡＣＦ）メッセージからＨ．３２３端末のＩＰアドレスを読み出し、そのＩＰアドレスを設定したＨ．３２３の呼設定（ＳＥＴＵＰ）メッセージを生成してＨ．３２３端末に送信する。
【０１３４】
このように、本実施の形態では、ローマＰＳからＨ．３２３端末への発呼要求に対しても、Ｈ．３２３プロトコルに従って呼接続することが可能である。
【０１３５】
次に、図１１で説明したホームゲートキーパ装置１１に設定されていた各種呼制御サービスをローマＰＳに対して設定する際の動作について、図１２に示すシーケンス図を用いて説明する。
【０１３６】
ステップＳ１２０１において、ビジタゲートキーパ装置１２は、移動端末（ＰＳ）４１の位置登録要求を受信すると、移動端末（ＰＳ）４１のエイリアスアドレスと「ローミング」フラグを設定したＨ．３２３の位置解決要求（ＬＲＱ）メッセージを生成し、ステップＳ１２０２において、ホームゲートキーパ装置１１に送信する。
【０１３７】
次いで、ステップＳ１２０３において、ホームゲートキーパ装置１１は、ビジタゲートキーパ装置１２から送信された位置解決要求（ＬＲＱ）メッセージに設定されたエイリアスアドレスを読み出し、そのエイリアスアドレスがＲＡＳ登録管理テーブル５０の加入者登録データベースに登録されているか否かを判別する。
【０１３８】
この場合、移動端末（ＰＳ）４１はホームＰＳであり、加入者情報が登録されているため、ホームゲートキーパ装置１１は、図１１に示したゲートキーパ番号に対応付けて各種サービス設定を記憶したサービス設定テーブルを参照し、各種呼制御サービス情報と、「ローミング」フラグと、ホームゲートキーパ番号とを位置解決応答（ＬＣＦ）メッセージ内のＮｏｎ  Ｓｔａｎｄａｒｄ  Ｄａｔａ  を使用して設定し、この位置解決応答（ＬＣＦ）メッセージをステップＳ１２０４において、ビジタゲートキーパ装置１２に送信する。
【０１３９】
次いで、ステップＳ１２０５において、ビジタゲートキーパ装置１２は、ホームゲートキーパ装置１１から送信された位置解決応答（ＬＣＦ）メッセージ内のＮｏｎ  Ｓｔａｎｄａｒｄ  Ｄａｔａに設定された各種呼制御サービス情報とホームゲートキーパ番号を読み出してエンドポイント管理テーブル７０に記憶する。
【０１４０】
このように、本実施の形態では、位置解決応答（ＬＣＦ）メッセージ内のＮｏｎ  Ｓｔａｎｄａｒｄ  Ｄａｔａ  を使用して自装置のホームゲートキーパ番号を設定しているため、移動端末（ＰＳ）４１のゾーン間の移動（ローミング）と各種呼制御サービスに係る情報をＨ．３２３プロトコルに従って送受信することができ、ローマＰＳになってもホームＰＳで設定していた各種呼制御サービスを提供することができる。
【０１４１】
次に、上記図１２において、ローマＰＳに各種呼制御サービスを提供する際のビジタゲートキーパ装置１２の処理について、図１３に示すフローチャートを元いて説明する。
【０１４２】
ビジタゲートキーパ装置１２は、ゾーン２内に存在する移動端末（ＰＳ）４１からの呼設定（ＳＥＴＵＰ）に応じてＰＨＳ−ＧＷ装置２３から呼受付判断要求（ＡＲＱ）メッセージを受信すると、ステップＳ１０１において、エンドポイント管理テーブル７０を参照して移動端末（ＰＳ）４１のエンドポイント種別を判別する。
【０１４３】
移動端末（ＰＳ）４１がローマＰＳかホームＰＳの場合、ビジタゲートキーパ装置１２は、ステップＳ１０２において、エンドポイント管理テーブル７０からホームゲートキーパ番号を取得し、ステップＳ１０３において、移動端末（ＰＳ）４１から呼受付判断要求（ＡＲＱ）メッセージで通知された「Ｅ．１６４」アドレスを自動番号付加処理（詳しくは後述）して、接続先を決定する。
【０１４４】
次いで、ビジタゲートキーパ装置１２は、ステップＳ１０４において、移動端末（ＰＳ）４１の発信規制をチェックし、発信規制が有る場合は、受付棄却（ＡＲＪ）メッセージを移動端末（ＰＳ）４１に送信し、発信規制が無い場合は、ステップＳ１０５において、エイリアスアドレスであるＥ．１６４アドレスから相手のＣａｌｌ  Ｓｉｇｎａｌｉｎｇ  Ａｄｄｒｅｓｓ（ＩＰアドレス）を決定するための相手アドレス解決処理を実行する。
【０１４５】
次いで、ビジタゲートキーパ装置１２は、ステップＳ１０６において、エンドポイント管理テーブル７０を参照して相手アドレス（エイリアスアドレス）の有無をチェックし、相手アドレスが有る場合は、ステップＳ１０７において接続相手のアドレスを決定し、ステップＳ１０８において着信音種別情報を取得して、その着信音種別情報を設定した受付判断確認（ＡＣＦ）メッセージをＰＨＳ−ＧＷ装置２３に応答する。
【０１４６】
また、相手アドレスが無い場合は、相手先が加入者登録されていないため、ステップＳ１０９において、ホームゲートキーパ装置１１においてスタティックゲートウェイ（詳しくは後述）として登録されている加入者を決定し、その加入者アドレスと着信音種別情報を設定した受付判断確認（ＡＣＦ）メッセージをＰＨＳ−ＧＷ装置２３に応答する。
【０１４７】
また、ビジタゲートキーパ装置１２は、ステップＳ１０１において、エンドポイント種別がローマＰＳ以外であるホームＰＳまたはＨ．３２３エンドポイントであると判別した場合は、ステップＳ１１０において、移動端末（ＰＳ）４１から呼受付判断要求（ＡＲＱ）メッセージで通知された「Ｅ．１６４」アドレスを自動番号付加処理をして、接続先を決定する。
【０１４８】
次いで、ビジタゲートキーパ装置１２は、ステップＳ１１１において、移動端末（ＰＳ）４１の発信規制（詳しくは後述）をチェックし、発信規制が有る場合は、受付棄却（ＡＲＪ）メッセージを移動端末（ＰＳ）４１に送信し、発信規制が無い場合は、ステップＳ１１２において、相手アドレス解決処理を実行する。
【０１４９】
次いで、ビジタゲートキーパ装置１２は、ステップＳ１１３において、エンドポイント管理テーブル７０を参照して相手アドレスの有無をチェックし、相手アドレスが有る場合は、ステップＳ１１４において接続相手のアドレスを決定し、ステップＳ１１５において着信音種別情報を取得して、その着信音種別情報を設定した受付判断確認（ＡＣＦ）メッセージをＰＨＳ−ＧＷ装置２３に応答する。
【０１５０】
また、相手アドレスが無い場合は、相手先が加入者登録されていないため、ステップＳ１１６において、ホームゲートキーパ装置１１においてスタティックゲートウェイとして登録されている加入者を決定し、その加入者アドレスと着信音種別情報を設定した受付判断確認（ＡＣＦ）メッセージをＰＨＳ−ＧＷ装置２３に応答する。
【０１５１】
以上のように、ローマＰＳに対して各種呼制御サービスの設定処理を実行することにより、以下のような具体的なサービスをローマＰＳに提供することができる。
【０１５２】
（１）スタティックゲートウェイ機能
ゲートキーパ装置に加入者登録されていないクライアント（Ｈ．３２３エンドポイント装置、又はゲートウェイ装置）に対して、ゲートキーパ装置内の加入者クライアントから接続要求が有った場合、予めスタティックゲートウェイとして登録された加入者に迂回接続することができる。この機能によって既存の音声ＶＰＮ（Ｖｉｒｔｕａｌ  Ｐｒｉｖａｔｅ  Ｎｅｔｗｏｒｋ  ）への方路を簡易に決定することができる。
【０１５３】
この機能により、ローマＰＳでは、ホームゲートキーパ装置（ホームゲートキーパ番号）毎にスタティックゲートウェイを設定しておくことが可能であり、ビジタゲートキーパ装置に移動したとしても、ホームゲートキーパ装置で使用していたスタティックゲートウェイとして登録されている加入者に迂回接続することができる。
【０１５４】
（２）着信音鳴り分け機能
各クライアントからの着信において、予め設定された着信種別毎に異なる着信音で着信鳴動させることで、着信したクライアントを区別させることができる。
【０１５５】
この機能により、ローマＰＳでは、ホームゲートキーパ装置（ホームゲートキーパ番号）毎に発信相手に対する着信鳴動音を変更することが可能になり、着信者は着信音により、自ゲートキーパ装置内からの着信か、ローマＰＳからの着信かを聞き分けることができる。
【０１５６】
（３）自動番号付加機能
各エンドポイント装置間を接続（ルーティング）させる際に、発信先としてＲＡＳメッセージ「ＡＲＱ」により通知されたＥ．１６４アドレスをゲートキーパ装置内で自動的に番号付加して編集し、接続先を決定する（アドレス解決する）ことができる。
【０１５７】
この機能により、ローマＰＳでは、ホームゲートキーパ装置（ホームゲートキーパ番号）毎に番号編集内容をカスタマイズできるため、公衆回線ゲートウェイ装置への発信（０発信）の場合等、所属するホームゲートキーパ装置毎に、使用する公衆回線等を特定することができる。
【０１５８】
（４）発信規制ダイヤル機能
各エンドポイント装置毎に発信レベルを設け、予め設定された規制レベル毎のダイヤルに応じて、発信時に発信規制をかけることができる。
【０１５９】
この機能により、ローマＰＳでは、ホームゲートキーパ装置（ホームゲートキーパ番号）毎に発信レベルをカスタマイズできるため、自ゾーン内のエンドポイント装置でない、ローマＰＳからの外線発信等を規制することができる。
【０１６０】
以上のように、本実施の形態の通信システムによれば、ホームゲートキーパ装置に予め加入者登録した移動端末をＨ．３２３エンドポイント装置として扱うことができ、この移動端末がビジタゲートキーパ装置管理下のゲートウェイ装置に接続された無線基地局に移動した際、又は、ビジタゲートキーパ装置の管理領域からホームゲートキーパ装置の管理領域に移動した際に、Ｈ．３２３プロトコルを用いて移動管理することができる。
【０１６１】
また、本実施の形態の通信システムによれば、ホームゲートキーパ装置に設定されていた呼制御サービスの設定情報を、移動先のビジタゲートキーパ装置がホームゲートキーパ装置から取得して、移動してきた移動端末の設定情報として登録するようにしたため、移動端末は移動先においてもホームと同様の呼制御サービスを受けることができる。
【０１６２】
また、本実施の形態の通信システムによれば、ゲートキーパ装置間でＨ．３２３プロトコルを交換することにより、複数のゲートキーパ装置管理下のゾーンを移動する移動端末の移動管理を可能にしたため、従来のように集中管理によるシステムに比べてコストを低減することができる。
【０１６３】
【発明の効果】
以上説明したように、本発明によれば、ゲートキーパ装置に予め加入者登録した移動端末をＨ．３２３エンドポイント装置として扱うことができ、この移動端末が他のゲートキーパ装置管理下のゲートウェイ装置に接続された無線基地局に移動した際に、呼制御メッセージを用いて移動管理することができる。
【図面の簡単な説明】
【図１】本発明の一実施の形態に係る通信システムの全体構成を示す図
【図２】実施の形態に係るゲートキーパ装置の構成を示すブロック図
【図３】実施の形態に係るホームゲートキーパ装置に記憶されるＲＡＳ登録管理テーブルの構成例を示す図
【図４】実施の形態に係るビジタゲートキーパ装置に記憶されるＲＡＳ登録管理テーブルの構成例を示す図
【図５】実施の形態に係るホームゲートキーパ装置とビジタゲートキーパ装置に記憶されるエンドポイント管理テーブルの構成例を示す図
【図６】実施の形態に係る移動端末（ＰＳ）がゾーン１からゾーン２に移動する場合の通信システムの動作を説明するためのシーケンス図
【図７】実施の形態に係る移動端末（ＰＳ）が更にゾーン２からゾーン３に移動した場合の通信システムの動作を説明するためのシーケンス図
【図８】実施の形態に係る移動端末（ＰＳ）がゾーン２からゾーン１に戻った場合の通信システムの動作を説明するためのシーケンス図
【図９】実施の形態に係るホームゲートキーパ装置とビジタゲートキーパ装置間で「ローミング」フラグを交換する際の詳細な動作を説明するためのシーケンス図
【図１０】実施の形態に係るＨ．３２３端末がローマＰＳへの発呼要求を行った場合の通信システムの動作を説明するためのシーケンス図
【図１１】実施の形態に係るローマＰＳである移動端末（ＰＳ）がＨ．３２３端末に発呼要求を行った場合の通信システムの動作を説明するためのシーケンス図
【図１２】実施の形態に係るホームゲートキーパ装置に設定されていた各種呼制御サービスをローマＰＳに対して設定する際の動作を説明するためのシーケンス図
【図１３】実施の形態に係るローマＰＳに各種呼制御サービスを提供する際のビジタゲートキーパ装置の処理を説明するためのフローチャート
【符号の説明】
１１  ホームゲートキーパ装置
１２，１３  ビジタゲートキーパ装置
３１〜３８  無線基地局
４１  移動端末（ＰＳ）
５０，６０  ＲＡＳ登録管理テーブル
７０  エンドポイント管理テーブル
１００  通信システム
２０１  ネットワークインタフェース
２０２  ＣＰＵ
２０３  メモリ
２０４  データ管理部
２０５  呼処理部
２０６  Ｈ．３２３制御部
【図１】
2005020610.tif 000003
【図２】
2005020610.tif 000004
【図３】
2005020610.tif 000005
【図４】
2005020610.tif 000006
【図５】
2005020610.tif 000007
【図６】
2005020610.tif 000008
【図７】
2005020610.tif 000009
【図８】
2005020610.tif 000010
【図９】
2005020610.tif 000011
【図１０】
2005020610.tif 000012
【図１１】
2005020610.tif 000013
【図１２】
2005020610.tif 000014
【図１３】
2005020610.tif 000015